(57)【特許請求の範囲】
【請求項１】
ケーシングの内部に、回転軸の一側を巻軸と接続され、他側はハンドルと接続され、同ハンドルにより前記回転軸を通じて前記巻軸を回転することができ、巻軸単独の回転は止める構成の回転伝達機構が設置されており、同ケーシングには、支柱パイプが通され同支柱パイプに沿って上下移動を可能にするパイプ通孔が設けられ、更に同ケーシングを片手でつかむ取手が設置されている回転伝達装置において、
前記ケーシングのほぼ中央部に設けられた支柱パイプを通すパイプ通孔を間に挟んで、同ケーシングの一側に回転軸が配置され、その反対側に取手が配置されており、
前記取手は、回転軸及び巻軸とほぼ平行な方向に、且つ一端を片持ち支持された棒状体としてケーシングから前記回転軸のハンドルとは反対向きに突き出す配置で設置されていることを特徴とする、回転伝達装置。
【発明の詳細な説明】
【０００１】
【発明の属する技術分野】
この発明は、例えば図５に例示したように、ビニールハウスの被覆シートｂをシート巻軸ｃに巻き込んで巻き上げ又は巻き下すことにより換気開口ｇを開閉する通風換気に使用される回転伝達装置の技術分野に属し、更に云えば、ハンドルｊの回転操作で巻軸ｃに回転を伝達しつつ取手でつかんだケーシングを追従移動（昇降）させ、巻軸によるシートの巻き上げ、巻き下しを行う回転伝達装置に関する。
【０００２】
【従来の技術】
ビニールハウスの通風換気に使用される従来の回転伝達装置は、図６に例示したように、ケーシングｓの内部に設置された回転伝達機構（図示は省略）の回転軸の一側に巻軸ｃが接続され、他側にハンドルｊの軸ｋが接続されている。同ケーシングｓの一端側へ寄った位置に、支柱パイプｄを垂直方向に通すパイプ通孔ｔが設けられている。同ケーシングｓを片手でつかみ上下移動させる取手ｍも設けられている。取手ｍは、ケーシングｓの前記パイプ通孔ｔを貫通させた前記支柱パイプｄに対して、前記回転軸へ接続したハンドル軸ｋと同じ側のケーシング端部に、ハンドル軸ｋ及び巻軸ｃ（つまり回転軸）に対し直交する向きに設置されている。
【０００３】
従って、被覆シートｂを開閉するには、作業者が片方の手（左手）で取手ｍをつかみ、他方の手（右手）でハンドルｊを回転操作して巻軸ｃを回転させつつ、取手ｍでつかんだケーシングｓをシートｂの巻き上げ又は巻き下しに追従動作させることにより行っている。
【０００４】
【発明が解決しようとする課題】
上記のようにシートｂの開閉作業を回転伝達装置で行う際、作業者が片手でつかむ取手ｍと、他方の手で回転操作するハンドルｊとが、支柱パイプｄの位置に対し一側に片寄って配置され、しかもハンドル軸ｋと取手ｍとは直交する向きに配置されているため、作業者はハンドルｊの回転にしたがい両手が接近して交錯するような窮屈な体勢となるので、両方の手に力を十分発揮させ難く、使いにくい。
【０００５】
その上、支柱パイプｄに沿って昇降するケーシングｓに対し、取手ｍをつかむ手の力と、ハンドルｊを回す力とが共に支柱パイプｄの一側に片寄って作用するため、双方の力の合力は支柱パイプｄに対してケーシングｓを上下方向へギクシャクと傾ける（又はねじる）曲げモーメントとして不安定に作用する。そのためケーシングｓは支柱パイプｄに対し所謂「こじる現象」を生じてケーシングｓのスムーズな上下移動をさせ難く、シートの開閉作業に熟練を要し、面倒な作業となっている。
【０００６】
しかも、シートｂの開閉は、ビニールハウスａの裾の地面位置から開始し、作業者が背伸びする高さ程度まで（地上約２ｍ程度）行うから、必然、開閉作業は作業者が身をかがめた低い姿勢から、背伸びする高い姿勢にまで変化しなければならない。その間、取手ｍでつかんだケーシングｓの移動と、ハンドルｊの回転を同時並行して行わなければならないが、上述したように片手で取手ｍをつかみ、他方の手でハンドルｊを回す窮屈な動作は、両方の手の力を十分発揮しずらい関係にあるため、作業者に強いる負担が大きく、使いにくいのである。
【０００７】
本発明の目的は、取手とハンドル軸の位置を、支柱パイプを間に挟む両側の位置に分離して配置し、しかも好ましくは取手の向きと回転軸（ハンドル軸）とをほぼ平行な配置として、取手をつかむ手と、ハンドルを回転する手の両方が体勢良く自由に動かせて力を十分に発揮でき、ハンドルの円滑な回転操作で巻軸に回転力が確実に伝えられ、しかも取手を介してつかんだケーシングの昇降をスムーズとなし、シートの円滑な開閉を実現できる回転伝達装置を提供することにある。
【０００８】
【課題を解決するための手段】
前記課題を解決するための手段として、請求項１記載の発明の回転伝達装置は、ケーシング１の内部に、回転軸２の一側２ａを巻軸８と接続され、他側２ｂはハンドル３と接続され、同ハンドル３により前記回転軸２を通じて前記巻軸８を回転することができ、巻軸８の単独の回転は止める構成の回転伝達機構４が設置されており、同ケーシング１には、支柱パイプ７が通され同支柱パイプ７に沿って上下移動を可能にするパイプ通孔５が設けられ、更に同ケーシング１を片手でつかむ取手６が設置されている回転伝達装置において、
前記ケーシング１のほぼ中央部に設けられた支柱パイプ７を通すパイプ通孔５を間に挟んで、同ケーシング１の一側に回転軸２が配置され、その反対側に取手６が配置されており、
前記取手６は、回転軸２及び巻軸８とほぼ平行な方向に、且つ一端を片持ち支持された棒状体としてケーシング１から前記回転軸２のハンドル３とは反対向きに突き出す配置で設置されていることを特徴とする。
【００１０】
【発明の実施の形態】
図１〜図４に本発明に係る回転伝達装置の実施形態を示した。
【００１１】
この回転伝達装置は、図５のようにビニールハウスの被覆シートｂをシート巻軸ｃに巻き込んで、巻き上げ、巻き下しをして開閉する通風換気に好適に実施される。
【００１２】
回転伝達装置のケーシング１の内部には、図４に略示したように回転伝達機構４が設置されている。同回転伝達機構４の回転軸２の一側２ａにシート巻軸８が継手２ｃで接続される。他側２ｂにはハンドル３の軸３ａが接続されている（図１、図２）。シート巻軸８には、ビニールハウスの被覆シートｂの下端部が巻き付けられている（図５参照）。
【００１３】
回転伝達機構４の回転軸２とシート巻軸８及びハンドル軸３ａはそれぞれ一直線に配置されている（図２）。回転伝達機構４は、既に種々公知であるように、ハンドル３の回転操作によってのみ前記シート巻軸８を回転することができ、一方、シート巻軸８の単独の回転は完全に止めるように構成されている（例えば、特許第２８４７６１８号公報参照）。シート巻軸８の回転を完全に止める反力手段として後述の支柱パイプ７が必要である。
【００１４】
上記ケーシング１には、そのほぼ中央部にパイプ通孔５が上下方向に貫通して設けられている（図４参照）。このパイプ通孔５に支柱パイプ７が通され、前記回転伝達機構４がシート巻軸８の回転を止める際の反力を与える。シート巻軸８によるシートの巻き上げ、巻き下しに追従して、ケーシング１が支柱パイプ７に沿って上下方向に円滑に移動するように、前記パイプ通孔５に沿う配置で複数のガイドローラー９が設置されている（図４）。
【００１５】
上記のようにケーシング１内に設置した回転伝達機構４の回転軸２、及び同回転軸２に軸３ａを接続したハンドル３は、前記支柱パイプ７を通すパイプ通孔５を間に挟んだ一側に配置され、その反対側に取手６が配置されている。しかも取手６は回転軸２及びシート巻軸８とほぼ平行に突き出る配置とされている（図１、図３）。すなわち、取手６は、前記ハンドル３の位置とはパイプ通孔５を中心として反対側の位置に離れており、一端を片持ち支持された棒状体として設けられている。
【００１６】
上記のように、取手６は、上記ハンドル軸３ａ及びシート巻軸８並びに回転軸２とほぼ平行な配置でケーシング１の一側に設置されているので、作業者がこの取手６をつかむ左手と、ハンドル３を回す右手とは、両腕を平行状態に伸ばしたり縮める形で楽に自由に操作できる。しかも両手の力は、支柱パイプ７の両側に分れてバランス良く作用するので、少なくともケーシング１を上下方向へこじるような動作にならない。
【００１７】
したがって、シートを開閉するに際し、取手６をつかむ左手と、ハンドル３を回す右手とはそれぞれバランスよく動かせ、それぞれ十分に力を発揮できるので、取手６でつかんだケーシング１の昇降をスムーズに行え、ビニールハウスの地面位置から上方位置に至るまでのシートの開閉作業を楽な姿勢で円滑に行うことができるのである。
【００１８】
【発明の効果】
本発明に係る回転伝達装置は、取手とハンドル軸の位置が支柱パイプを間に挟む両側位置に分れて配置され、取手をつかむ手と、ハンドルを回す手の動作が体勢的に楽に行え、操作性が良く使い易い。また、左右の手に力を十分発揮できるから、取手でつかんだケーシングの昇降をスムーズに行え、ビニールハウスの被覆シートの開閉作業を楽々と円滑に能率的に行えるのである。
【図面の簡単な説明】
【図１】本発明に係る回転伝達装置の使用状態を示した斜視図である。
【図２】回転伝達装置の一部省略した平面図である。
【図３】回転伝達装置の使用状態を図１とは異なる角度で示した斜視図である。
【図４】回転伝達装置の内部を示した断面図である。
【図５】ビニールハウスの換気手段を示した斜視図である。
【図６】従来の回転伝達装置を示した斜視図である。
【符号の説明】
１    ケーシング
２    回転軸
３    ハンドル
３ａ  ハンドル軸
４    回転伝達機構
５    パイプ通孔
６    取手
７    支柱パイプ
８    巻軸
【図１】
0003752617.tif 000002
【図２】
0003752617.tif 000003
【図３】
0003752617.tif 000004
【図４】
0003752617.tif 000005
【図５】
0003752617.tif 000006
【図６】
0003752617.tif 000007